(57)【要約】【課題】転写用原盤と被転写体との密着面間の“エア溜り”の有無をモニターし、原盤の突起汚れに起因する密着不良を判断して、原盤のクリーニングを促すことのできる磁気転写方法を提供する。【解決手段】磁気的な転写情報を有する転写用原盤と被転写体とを密着させ、加圧することによって前記転写用原盤と前記被転写体の密着体を形成する密着体形成工程と、磁界発生手段を前記密着体に近接させて、前記磁界発生手段と前記密着体とを相対的に移動させながら磁界を印加することにより、前記転写用原盤から前記被転写体へ、前記転写情報の磁気転写を行なう磁気転写工程からなる磁気転写方法において、前記転写用原盤が光透過性のものであり、前記密着体を形成する際に密着面間で発生し得る“エア溜り”の有無を、前記光透過転写用原盤を通してモニターすることを特徴とする。【選択図】図５
2011134420.tif 000002
【特許請求の範囲】
【請求項１】
磁気的な転写情報を有する転写用原盤と被転写体とを密着させ、加圧することによって前記転写用原盤と前記被転写体の密着体を形成する密着体形成工程と、磁界発生手段を前記密着体に近接させて、前記磁界発生手段と前記密着体とを相対的に移動させながら磁界を印加することにより、前記転写用原盤から前記被転写体へ、前記転写情報の磁気転写を行なう磁気転写工程からなる磁気転写方法において、前記転写用原盤が光透過性のものであり、前記密着体を形成する際に密着面間で発生し得る“エア溜り”の有無を、前記光透過転写用原盤を通してモニターすることを特徴とする磁気転写方法。
【請求項２】
前記光透過転写用原盤を通してのモニターで“エア溜り”が検出された場合にその面内位置(以下、記憶位置という)を記憶しておき、続いて、同一の転写用原盤で新たな被転写体との密着体を形成し、前記光透過転写用原盤を通してのモニターで“エア溜り”が前記記憶位置と同位置に検出された場合には、転写を中止して前記転写用原盤のクリーニングを促すアラームを発することを特徴とする、請求項１に記載の磁気転写方法。
【請求項３】
前記転写用原盤は平滑な基板上に転写情報が形成され、転写情報が形成されていない部分の表面粗さがＲａ１ｎｍ以下であり、かつ平坦度が１０μｍ以下であり、かつ転写情報が形成されていない平滑部分が、転写用原盤の転写情報が形成された面の面積の２０％以上であり、また、前記被転写体の表面粗さがＲａ１ｎｍ以下であり、かつ平坦度が１０μｍ以下であることを特徴とする請求項１または２に記載の磁気転写方法。
【請求項４】
前記被転写体が磁気記録媒体であり、磁気転写情報が請求項１〜３のいずれか１項に記載の磁気転写方法を用いて転写されていることを特徴とする磁気記録媒体。
【発明の詳細な説明】
【技術分野】
【０００１】
本発明は、磁気転写方法および磁気記録媒体に関する。より詳細には、ハードディスクドライブ（以下ＨＤＤという。）において磁気記録媒体に書き込まれているデータの書き込み・読み出しを行なう磁気ヘッドの位置決め用サーボ信号または特定のデータを、磁気的な転写技術を用いて磁気記録媒体に書き込む磁気転写方法、及び該磁気転写方法により転写情報を書き込まれた磁気記録媒体に関する。
【背景技術】
【０００２】
現在、磁気記録媒体への磁気的情報の書き込みは以下のようにして行なわれる。即ち、磁気的な情報が何も書かれない状態の磁気記録媒体をＨＤＤ装置に組み込んだ後、ＨＤＤ内で磁気記録媒体上のトラックと呼ばれる一定の幅を持った同心円状の領域に必要な磁気的情報が書き込まれる。
【０００３】
データの読み書きは、磁気ヘッドがトラックに沿って動きながら行なわれる。その際、磁気ヘッドは、磁気記録媒体に書かれたサーボ信号と呼ばれる磁気的信号によりトラックとの位置ズレを検出し、トラックから外れないよう制御される。
【０００４】
何も書かれていない磁気記録媒体に精密に同心円状にサーボ信号を書き込むためには、精密な位置制御機能を有する装置をＨＤＤ１台毎に外部から挿入する必要があり、１面に数十万本というトラックを書き込むのに数時間を要する。昨今の記録密度向上に伴って更に高精度の位置制御装置、書き込み時間が必要になり、ＨＤＤの生産性やコスト面で大きなデメリットになってきた。
【０００５】
そこで、上記のサーボ信号パターンを持つ転写用原盤を磁気記録媒体に密着させ、外部より磁界を印加することにより、そのサーボ信号パターンを磁気記録媒体に瞬時に転写するという技術および装置が開発されている。このことにより、ドライブ製造コストの削減やトラックの高密度化（トラック幅の狭域化）が可能となる。
【０００６】
しかし、共に平滑な面同士である転写用原盤と磁気記録媒体とを全面一気に密着させようとすれば、密着開始から終了までの面内密着順序は成り行き任せとなり、その順序によって転写面と被転写面の間の空気が封じ込まれて“エア溜り”が発生する等の不都合が生じ、転写用原盤と磁気記録媒体とが良好に密着しない。このエア溜りの箇所では所定のサーボ信号が転写されず、このため、転写後の磁気記録媒体を検査すると“信号抜け”エラーが検出される。
【０００７】
このような状況から、転写用原盤と磁気記録媒体の高精度な均一密着を試みるものとして、例えば転写用原盤と磁気記録媒体とを加圧チャンバー内あるいは減圧チャンバー内で密着させる方法が提案されている（例えば、特許文献１参照。）。
【０００８】
また、転写用原盤に空気抜き溝や穴を設け、それを介して転写用原盤と磁気記録媒体とを吸引密着させる提案もある（例えば、特許文献２参照。）。
【０００９】
また、転写情報を担持したマスター担体と転写を受けるスレーブ媒体とを密着させて転写用磁界を印加し、スレーブ媒体へ転写情報に対応する磁化パターンを転写記録する際に、磁気転写後のスレーブ媒体の磁気パターンのベリファイ検査をべリファイ検査装置によって行い、この検査結果に基づき、エラー発生位置に対応する部分のマスター担体の表面を選択的にクリーニングして付着物を除去するマスター担体のクリーニング法の提案もある(例えば、特許文献３参照。)。
【００１０】
また、被転写用磁気ディスクの両面にマスターディスクをそれぞれ圧接させ、圧接された被転写用磁気ディスクとマスターディスクとに磁界を加えて一対のマスターディスク上の磁気パターンをそれぞれ被転写用磁気ディスクの両面に転写させた後、光照射手段により照射光の光軸がマスターディスクの表面の被検査部分における径方向に対し１〜３０度の角度をなすようにして光を照射し、照射された光の反射光を撮像素子により撮像してマスターディスクの汚染を検査する検査方法の提案もある(例えば、特許文献４参照。)。
【先行技術文献】
【特許文献】
【００１１】
【特許文献１】特開２００４−２３４７１０号公報
【特許文献２】特開平１１−０２５４５５号公報
【特許文献３】特開２００３−１７３６５７号公報
【特許文献４】特開２００６−１２７６８４号公報
【発明の概要】
【発明が解決しようとする課題】
【００１２】
しかし、いずれの先行技術においても、転写用原盤に突起汚れが固着している場合には、その汚れが密着を阻害し、汚れを中心とする周囲に“エア溜り”が出来る。汚れを除去しない限り、連続生産される被転写体には“信号抜け”エラーが発生し続けることとなる。
【００１３】
また、“エア溜り”による密着不良が生じたかどうかは、実際に転写された被転写体で“信号抜け”エラーの有無を検査するしか判断手段がなく、媒体全数の検査の時間と、その間にも連続生産される密着不良品とで、大きなロスが生じることとなる。
【００１４】
特許文献４では被転写用磁気ディスクへの磁気パターンの転写後のマスターディスクの表面の汚染を光学的に検査しているが、検査対象はマスターディスクに付着した塵埃や繊維くずなどの異物であり、“エア溜り”による密着不良による“信号抜け”エラーの検査ではない。
【００１５】
このような状況に鑑み、本発明は、透過性の転写用原盤を用い、転写用原盤と被転写体との密着体を形成した時点で、透過面を通して密着面間の“エア溜り”の有無をモニターし、原盤のクリーニングを促すことのできる磁気転写方法及び該方法により磁気転写された磁気記録媒体を提供することを目的とする。
【課題を解決するための手段】
【００１６】
上記の目的を達成するため、本発明の磁気転写方法は、磁気的な転写情報を有する転写用原盤と被転写体とを密着させ、加圧することによって前記転写用原盤と前記被転写体の密着体を形成する密着体形成工程と、磁界発生手段を前記密着体に近接させて、前記磁界発生手段と前記密着体とを相対的に移動させながら磁界を印加することにより、前記転写用原盤から前記被転写体へ、前記転写情報の磁気転写を行なう磁気転写工程からなる磁気転写方法において、前記転写用原盤が光透過性のものであり、前記密着体を形成する際に密着面間で発生し得る“エア溜り”の有無を、前記光透過転写用原盤を通してモニターすることを特徴とする。
【００１７】
また、本発明の磁気記録媒体は、磁気転写情報が前記磁気転写方法を用いて転写されてなることを特徴とする。
【発明の効果】
【００１８】
本発明では、透過性のある転写用原盤を用いることで、被転写体との密着体形成時に密着面間に発生し得る“エア溜り”を、原盤の透過面を通して検出する。さらに本発明では、複数の密着体で発生した“エア溜り”の発生位置を記憶、比較することで、原盤の突起汚れに起因する密着不良を判断し、これにより原盤のクリーニングを促すことができる。このように密着体形成工程で即座に密着不良判定をするため、転写後の被転写体で“信号抜け”エラーを検査する必要がなくなり、その間に密着不良品を作り続けることもなくなる。
【図面の簡単な説明】
【００１９】
【図１】エッジ転写方式の磁気転写原理を模式的に示す図である。
【図２】転写信号の一例を示す図である。
【図３】ビット転写方式の磁気転写原理を模式的に示す図である。
【図４】本発明の密着体形成工程の一例を示す図である。
【図５】本発明のモニター部を模式的に示す図である。
【図６】本発明の磁気転写工程の一例を示す図である。
【図７】転写用原盤の微細凹凸パターン形成箇所を模式的に示す図である。
【図８】原盤面をＣＣＤカメラ撮影しＣＰＵで解析した時の画像例である。
【発明を実施するための形態】
【００２０】
以下、図を用いながら本発明の実施形態を詳細に説明する。
図１はエッジ転写方式の磁気転写原理を模式的に示す図である。
【００２１】
転写用原盤１０１の被転写体１０２と接する面は、平滑な基板の上に、軟磁性体による転写情報に応じた微細凹凸パターンが設けられている。転写用原盤１０１の被転写体１０２と接する面の中で、転写情報に応じた微細凹凸パターンが形成されていない部分(図７における白い部分)の表面粗さＲａは１ｎｍ以下となっている。この微細凹凸パターンが形成されていない平滑部分は、転写用原盤１０１の被転写体１０２と接する面の面積の２０％以上を占めることが好ましい。この微細凹凸パターンが形成されていない部分の表面粗さＲａが１ｎｍを超える値の場合、および、平滑部分の面積が、転写用原盤１０１の被転写体１０２と接する面の面積の２０％より少ない場合、密着体は自身で密着状態を維持することが出来なくなる。
【００２２】
また、転写用原盤１０１は実質的に平坦である必要がある。ここで、転写原盤１０１が平坦であるとは転写用原盤が湾曲していないことを意味する。この転写用原盤１０１の平坦度は１０μｍ以下であることが好ましい。転写用原盤１０１の平坦度が１０μｍを超える大きさであると、転写用原盤と被転写体の密着を維持し難くなるからである。ここで平坦度は１０μｍ以下であるとは、転写用原盤を水平面に置いたときに、転写用原盤のどの部分も水平位置から１０μｍを超えて持ち上がっていないことを意味する。
【００２３】
転写用原盤１０１に被転写体１０２を密着させて外部磁界１０６を印加した際の漏れ磁束１０７が被転写体１０２側に進入することで、被転写体１０２の磁性層１０８が磁化され、転写用原盤１０１の軟磁性体パターンに沿った磁気信号が転写される。ここで用いる被転写体１０２の表面粗さＲａは１ｎｍ以下となっている。被転写体の表面粗さＲａが１ｎｍを超える値の場合、密着体は自身で密着状態を維持することが出来なくなるからである。
【００２４】
また、被転写体１０２の平坦度は１０μｍ以下であることが好ましい。被転写体１０２の平坦度が１０μｍを超える大きさであると、密着体は自身で密着状態を維持することが出来なくなるからである。
【００２５】
この磁気信号の一例を図２に示す。この方式は、転写用原盤１０１の軟磁性体パターンの凸部１０５のエッジから漏れた磁束によって転写されるため、エッジ転写方式と呼ばれる。
【００２６】
図１では磁石１０３が原盤１０１上を回転して片面全体を一度に転写する様子を示しているが、両面同時転写も可能である。この場合、２枚の転写用原盤が被転写体の両面に密着し、磁石も両面対向するように置かれることになる。
【００２７】
図３は、磁気転写原理の別の例を説明するものである。被転写体２０２は転写前に予め一方向に磁化されており、転写中、転写用原盤２０１と被転写体２０２との接触面に対して垂直方向に磁界が印加され、転写用原盤２０１の軟磁性体パターンの凸部分２０５を磁束２０７が透過した部分のみ、被転写体２０２が初期の磁化の向き２０９と反対向き２１０に磁化される。これはビット転写方式と呼ばれる。
【００２８】
図４は本発明の密着体形成工程の一例を示す図であり、転写用原盤３０１ａ，３０１ｂと被転写体３０２とを密着させるプロセスを示したものである。即ち、密着ユニット３０３で、搬送ハンド３０５ａが、原盤３０１ａ、媒体３０２、原盤３０１ｂを吸引把持により順に搬送し、ステージ３０４上に積み重ねる。転写用原盤３０１ａ，３０１ｂの軟磁性体微細凹凸パターン形成面３０６ａ，３０６ｂが被転写体３０２に対面していることとする。３枚重なった時点で搬送ハンド３０５ａは所定の力で原盤３０１ｂの内周域を加圧する。これにより原盤３０１ａ、３０１ｂと媒体３０２間に含まれる空気は外周に向かって押し出され、両面ともエア溜りなく全面均一に密着して、密着体３０７を形成する。
【００２９】
上記密着体形成工程で形成された密着体３０７は、一度密着させればその密着状態を保持出来るので、１基の上記密着ユニット３０３に対して２基の磁気転写ユニットを準備し、密着ユニット３０３で形成した密着体３０７を第１の磁気転写ユニットで磁気転写中に、密着ユニット３０３で新たな密着体３０７を作製し、第２の磁気転写ユニットへ搬送、転写を行なう。第１の磁気転写ユニットで転写が終わると、更に次の密着体３０７が第１の磁気転写ユニットに提供されるようにすることで、連続して磁気転写された被転写体を製造することができる。
【００３０】
続いて図５で“エア溜り”をモニターする様子を説明する。
図４で形成された密着体３０７は、密着状態を維持したままモニター部３０８へ搬送される。原盤３０１ａ、３０１ｂをＣＣＤカメラ３０９ａ、３０９ｂでそれぞれ撮影し、透過して見える密着面に“エア溜り”があるかをＣＰＵ３１０で解析する。“エア溜り”箇所には、目視でも識別可能なニュートンリング（光の干渉縞）が出来るので、これを検出することによって行なわれる。その結果“エア溜り”があれば転写を中断し、該被転写体は図示しない方法により剥離される。
【００３１】
さらに、同一の原盤３０１ａ、３０１ｂと新たな被転写体３０２とで新たな密着体３０７を上記同様の手順で形成し、モニター部３０８へ搬送する。原盤３０１ａ面、３０１ｂ面をＣＣＤカメラ３０９ａ、３０９ｂで撮影し、透過して見える密着面の“エア溜り”の有無を判別する。
【００３２】
“エア溜り”が検出された場合、この“エア溜り”が検出された画像をその前に撮影した画像と比較する。“エア溜り”が同位置に検出された場合、即ち、同一原盤からなる密着体において少なくとも２回連続して、面内の同位置に“エア溜り”が検出された場合には、原盤の密着面に突起汚れが固着していると判断し、原盤のクリーニングを促すアラームを発し、密着体３０７を磁気転写工程へ搬送することなく、装置を停止する。
【００３３】
尚、本説明では２台のＣＣＤカメラを用いているが、カメラ数やその配置は限定されない。例えば、搬送機構の工夫によって密着体を反転させて片面ずつ撮影する等、１台のカメラであっても対応可能である。
【００３４】
いずれにおいても“エア溜り”が検出されなければ、密着体３０７は図６に示す磁気転写工程へ搬送される。磁石３１１ａ、３１１ｂが取り付けられた駆動部３１２の動作により、磁石３１１ａ、３１１ｂが密着体３０７の極至近まで近接する。スピンドル３１３が回転することで、被転写体３０２には全面に亘って所定の磁気信号が転写される。
【実施例】
【００３５】
＜実施例１＞
転写用原盤として、外径６５ｍｍ、内径２０ｍｍのアモルファスガラス透明基板上にＦｅ５０Ｃｏ軟磁性層４０ｎｍとＣ保護層３０ｎｍをスパッタで成膜し、レジストを塗布した後、所定のサーボ信号パターンに対応する微細凹凸パターンが形成されたＮｉ製スタンパを前記レジスト面にプレスして、レジスト表面に微細凹凸パターンを複製した。
【００３６】
ドライエッチングによりレジストをエッチングした後、イオンミリングにより軟磁性層に上記微細凹凸パターンを形成した。再度ドライエッチングによりレジストとＣ保護層を剥離し、転写用原盤３０１を完成させた。この時、形成された凹凸段差は約３０ｎｍであった。
【００３７】
微細凹凸パターン以外の部分では表面粗さＲａが０．４５〜０．５ｎｍ、転写用原盤３０１の平坦度は３．４μｍであった。図７に転写用原盤３０１のパターン形成箇所を模式的に示す。黒の部分がパターン形成エリアであり、原盤表面積の１９％を占めた（よって平滑部分は８１％となる）。
【００３８】
また、被転写体３０２として、同じく外径６５ｍｍ、内径２０ｍｍのアモルファスガラス基板上に、スパッタによって磁性層と保護層が形成され、さらにその上に潤滑剤が塗布された磁気記録媒体を用いた。磁気記録媒体の表面粗さＲａは０．２ｎｍ、平坦度は３．２μｍであった。
【００３９】
搬送ハンド３０５によって、転写用原盤３０１ａ、３０１ｂと被転写体３０２とを、原盤３０１の微細凹凸パターン形成面３０６ａ、３０６ｂがそれぞれ被転写体３０２と対面するよう順に重ね合わせた後、搬送ハンド３０５で原盤３０１ｂを６．５ｋｇ／ｃｍ２の荷重で５秒間加圧した。得られた密着体３０７をステージ３０４から取り外しても、原盤３０１と被転写体３０２が剥がれ出すことは無かった。尚、搬送ハンドは吸引により原盤や被転写体を把持するものとし、原盤や被転写体に接する部分には外径２４．０ｍｍ、内径２０．０ｍｍの天然ゴム製円筒弾性体３１４が備わっている。
【００４０】
密着体３０７を、密着状態を維持したままモニター部３０８へ搬送した。ここで原盤３０１ａ、３０１ｂ面をＣＣＤカメラ３０９ａ、３０９ｂでそれぞれ撮影した。図８に、エア溜りが無い場合（ａ）、有る場合（ｂ）の処理画像例を示す。エア溜りが有る場合には面内に同心円状の模様（ニュートンリング）が検出される。本実施例では、密着１２回目までは“エア溜り”が検出されなかったため、以下に説明する方法で毎回磁気転写を行ない、得られた被転写体３０２の磁気信号を測定した。
【００４１】
密着体３０７を図６に示す磁気転写工程のスピンドル３１３に載せて内周を把持した。次に、磁石３１１ａ、３１１ｂを、駆動部３１２の動作によって密着体３０７の両面からそれぞれ０．５ｍｍ離れた距離まで近づけた。スピンドル３１３を１周５秒の速さで２回転させた後、駆動部３１２の動作によって磁石３１１ａ、３１１ｂを密着体３０７から完全に遠ざけ、密着体３０７を取り出した。転写用原盤３０１ａ、３０１ｂと被転写体３０２とを、図示しない剥離機構において剥離し、被転写体３０２の磁気信号を磁気ヘッドで再生した。
【００４２】
密着１３回目において、原盤３０１ｂ面側で図８（ｂ）に示した画像が得られた。面内に２箇所の“エア溜り”が発生していた。このため密着体３０７は磁気転写工程には進まず、図示しない剥離機構において原盤３０１ａ、３０１ｂと被転写体３０２とに剥離された。該被転写体３０２は不良品選別カセットへ収納された。
【００４３】
続いて、密着１４回目でも、原盤３０１ｂ面側に図８（ｃ）で示す画像が得られた。ここで、図８（ｂ）と図８（ｃ）とをＣＰＵ３１０で比較したところ、１箇所の“エア溜り”は同位置に発生していた（図８（ｄ））。このことは原盤３０１ｂに突起汚れが固着していることを意味し、ＣＰＵ３１０がアラームを発して装置を停止した。
【００４４】
＜比較例１＞
実施例１と同様の手順で新たに作製した転写用原盤３０１ａ、３０１ｂと、実施例１と同構成の被転写体３０２から形成された密着体３０７を、モニター部３０８へ搬送せずに、直接磁気転写部に搬送して磁気転写工程を実施し、転写用原盤３０１ａ、３０１ｂと被転写体３０２とを、図示しない剥離機構において剥離し、被転写体３０２の磁気信号を磁気ヘッドで再生した以外は実施例１と同様にして密着体の形成、磁気転写を１００回繰り返した。
【００４５】
密着１４回目までは信号抜けが発生していなかったが、１５回目以降、いずれもｂ面に信号抜けが発生し、１００回目まで“信号抜け”のある被転写体３０２を作り続けてしまう結果となった。
【００４６】
実施例、比較例の結果を表１に示す。
【００４７】
【表１】
2011134420.tif 000003
【００４８】
表１から、モニター部３０８で“エア溜り”が検出された場合は転写を中止し、“信号抜け”媒体を無駄に作製することが無かったのに対し、モニター部３０８をスキップした場合には、被転写体３０２に“信号抜け”が継続して発生していた。
【符号の説明】
【００４９】
１０１，２０１  転写用原盤
１０２，２０２  被転写体
１０３，２０３  磁石
１０４，２０４  軟磁性体パターンの凸部
１０５，２０５  外部磁界
１０６  漏れ磁束
２０６  透過磁束
【図１】
2011134420.tif 000004
【図２】
2011134420.tif 000005
【図３】
2011134420.tif 000006
【図４】
2011134420.tif 000007
【図５】
2011134420.tif 000008
【図６】
2011134420.tif 000009
【図７】
2011134420.tif 000010
【図８】
2011134420.tif 000011